(57)【要約】それは、無線周波数識別装置（ＲＦＩＤ）システムと同様のトランスポンダ技術を使用し、一意の信号／識別子でプログラムされ、それらの各一意の信号／識別子のための対応するアクションおよびアクティビティでプログラムされる。それは、着用者の一意の信号／識別子を検出／モニタリングするために、一意の信号／識別子を連続的に送信／受信する。着用者は、システムを使用して、アクション／アクティビティを開始／起動／停止することができる：ａ）ボタンを押すことによる自動システム応答、ｂ）無意識の着用者を示すことができる信号強度の喪失に対する自動システム応答、ｃ）着用者が事故／攻撃を受けたことを示すことができる突然の信号喪失による独立システム応答、およびｄ）着用者がトランスポンダ信号を分離し、および／またはプロンプト／メッセージを無視することによって自分の緊急事態を隠すときの独立システム応答。それは、潜在的な脅威および／または緊急事態の場合に、着用者の個人安全ネットワークに特定の情報を伝達する。【選択図】図１
2019531565.tif 000002
【特許請求の範囲】
【請求項１】
ハウジングユニット、バッテリ、送信機、受信機、およびプログラミングコードを格納するのに十分なメモリを含む着用可能な携帯型のトランスポンダであって、
通信システム（ソフトウェア/インタフェース）装置に組み込まれた協働する無線周波数アンテナ（質問器/読者）の個人用安全ネットワークでアクションし、
前記トランスポンダは、通信システム（ソフトウェアおよび／またはインタフェース）装置に組み込まれた協働する無線周波数アンテナ（質問器/読者）のプログラムされた一意の識別子および/または一意の信号のみを送信および応答する一意の識別子および/または一意の信号でプログラムされ、
前記通信システム（ソフトウェアおよび／またはインタフェース）装置は、着用者のパブリック/プライベート通信のために、前記協働する無線周波数アンテナ（質問器／読者）と前記トランスポンダとの間で送信／受信される一意の識別／一意の信号を認証することができ、
前記通信システム（ソフトウェアおよび／またはインタフェース）装置に接続されている／有効にされているアクション特徴および機能は、前記トランスポンダ内の一意の識別子および／または一意の信号に関連するプログラムされたアクティビティ／アクション（開始／起動／停止）に、意識的な反応（例：ボタンを押す）、無意識の無反応（例：自動システムアクション）、または隠れた反応（例：独立したシステムアクション）の着用者の反応に応じて、自動応答、独立した応答、優先応答の異なる方法で、応答し、
苦痛、攻撃、脅威、危険および/または緊急事態：環境的、医学的、精神的および/または身体的なイベント中に、前記着用可能な携帯型の警告およびモニタリングシステムは、着用者の個人的な安全性への対応および保護を目的とした個人的な公衆/私設通信ネットワークへのアクセスを可能にする、
着用可能な携帯型のトランスポンダ。
【請求項２】
アクション：前記一意の識別/一意の信号及びプログラムされたアクティビティ/アクション（開始/有効化/無効化）のシグナリングを安全に保つために、前記トランスポンダからの一意の識別子および/または一意の信号は、前記通信システム（ソフトウェアおよび／またはインタフェース）装置に埋め込まれた前記協働する無線周波数アンテナ（質問器/読者）の一意の識別子および/または一意の信号にのみを送信および応答する、
請求項１に記載の着用可能な携帯型のトランスポンダ。
【請求項３】
手首、首、足首、背中、肩、腰、脚、腰、衣類、アパレル、靴に着用される装置に製造されている、
請求項１に記載の着用可能な携帯型のトランスポンダ。
【請求項４】
前記一意の識別子および/または一意の信号を送信するために押され／押されうるボタン／スイッチを備えた製造された装置と協働するように前記一意の識別子および/または一意の信号でプログラムされている、
請求項１に記載の着用可能な携帯型のトランスポンダ。
【請求項５】
前記通信システム（ソフトウェア及び／又はインタフェース）装置内のアクティビティ／アクション（開始／起動／停止）キー、トーン、ボタン、及び設定に対応する前記一意の識別子および/または一意の信号でプログラムされた、
請求項１に記載の着用可能な携帯型のトランスポンダ。
【請求項６】
着用者に関係なく、前記通信システム（ソフトウェア及び／又はインタフェース）装置内のアクティビティ／アクション（開始／起動／停止）キー、トーン、ボタン、及び設定に対応する前記一意の識別子および/または一意の信号でプログラムされた、
請求項１に記載の着用可能な携帯型のトランスポンダ。
【請求項７】
前記ソフトウェアおよび／またはインタフェースは、前記着用可能なトランスポンダの前記一意の識別子および／または一意の信号を復号／符号化するためにプログラミングコードを使用する、
請求項１に記載の着用可能な携帯型のトランスポンダ。
【請求項８】
前記ソフトウェアおよび／またはインタフェースは、前記通信システム（ソフトウェア及び／又はインタフェース）装置に埋め込まれた協働無線周波数アンテナの特徴／機能に対応するアクティビティ／アクション（起動／起動／停止）に対する前記着用可能なトランスポンダの前記一意の識別子および／または一意の信号を復号／符号化する、
請求項１に記載の着用可能な携帯型のトランスポンダ。
【請求項９】
前記ソフトウェアおよび／またはインタフェースは、前記着用可能なトランスポンダの前記一意の識別子および／または一意の信号に対応するコードをプログラミングする、
請求項１に記載の着用可能な携帯型のトランスポンダ。
【請求項１０】
前記ソフトウェアおよび／またはインタフェースは、前記通信システム（ソフトウェア/インタフェース）装置において協働する無線周波数アンテナにおいて組み込まれた特徴／機能を使用して、プログラムされた一意の識別子および／または一意の信号において実行されるべきアクティビティ／アクション（開始／活性化／非活性化）の優先順位設定に対応するコードをプログラミングする、
請求項１に記載の着用可能な携帯型のトランスポンダ。
【請求項１１】
前記協働する無線周波数アンテナ（質問器／読取器）は、携帯型の通信システム（スマートフォン、スマートウォッチ、スマートタブレット、および／またはスマートホーム）にまたは前記携帯型の通信システムに搭載されるように製造され、又は接続される、
請求項１に記載の着用可能な携帯型のトランスポンダ。
【請求項１２】
前記協働する無線周波数アンテナ（質問器／読取器）は、リアルタイムまたは断続的に前記着用可能なトランスポンダの信号強度および信号範囲を検出し、その情報／データを通信システム（ソフトウェアおよび／またはインタフェース）装置に送信する、
請求項１に記載の着用可能な携帯型のトランスポンダ。
【請求項１３】
前記協働する無線周波数アンテナ（質問器／読取器）は、前記通信システム（ソフトウェアおよび／またはインタフェース）装置の前記協働する無線周波数アンテナ（質問器／読取器）に関連する前記着用可能なトランスポンダの一意の識別子および／または一意の信号の範囲および強度をモニタリングする、
請求項１に記載の着用可能な携帯型のトランスポンダ。
【請求項１４】
前記協働する無線周波数アンテナ（質問器／読取器）は、（一意の識別子および／または一意の信号のプログラミングに基づいて）前記トランスポンダおよび前記通信システム（ソフトウェアおよび／またはインタフェース）装置へのデータおよび情報を読み取り／書き込み／保存する、
請求項１に記載の着用可能な携帯型のトランスポンダ。
【請求項１５】
前記通信システム（ソフトウェアおよび／またはインタフェース）装置は、（優先順位の順に）プログラムされた前記一意の識別子および／または一意の信号を実行するために、前記トランスポンダおよび／または前記協働する無線周波数アンテナ（質問機／読取器）から送信／受信されるアクションを独立して開始／アクティブ化／非アクティブ化する、
請求項１に記載の着用可能な携帯型のトランスポンダ。
【請求項１６】
前記通信システム（ソフトウェアおよび／またはインタフェース）装置は、音声、セキュリティコード、パスワード、セキュリティ画像、指紋、網膜スキャン、唾液、または他のバイオメトリック入力を使用して、プログラムされた開始／活性化／非活性化アクションをバイパスすることができる、
請求項１に記載の着用可能な携帯型のトランスポンダ。
【請求項１７】
前記通信システム（ソフトウェアおよび／またはインタフェース）装置は、前記トランスポンダから受信した一意の識別子および／または一意の信号に応答して、または協働して送信されることができるプリセットアクション（開始／活性化／非活性化）を有するように、プログラムされることができる、
請求項１に記載の着用可能な携帯型のトランスポンダ。
【請求項１８】
前記通信システム（ソフトウェアおよび／またはインタフェース）装置は、リアルタイムまたは断続的に前記着用可能なトランスポンダから送信又は受信された前記一意の識別子および／または一意の信号からデータまたは情報を格納することができる、
請求項１に記載の着用可能な携帯型のトランスポンダ。
【請求項１９】
前記一意の識別子および／または一意の信号は、前記着用者とは無関係に、前記通信システム（ソフトウェア及び／又はインタフェース）装置におけるアクションを非アクティブ化（開始／アクティブ化／非アクティブ化）する前記協働する無線周波数アンテナ（質問器／読取器）によって送信／受信することができる、
請求項１に記載の着用可能な携帯型のトランスポンダ。
【請求項２０】
前記一意の識別子および／または一意の信号は、前記着用者とは無関係に、前記通信システム（ソフトウェア及び／又はインタフェース）装置におけるアクションをアクティブ化（開始／アクティブ化／非アクティブ化）する前記協働する無線周波数アンテナ（質問器／読取器）によって送信／受信することができる、
請求項１に記載の着用可能な携帯型のトランスポンダ。
【請求項２１】
前記一意の識別子および／または一意の信号は、前記通信システム（ソフトウェアおよび／またはインタフェース）装置においてアクション（起動／起動／停止）する前記協働する無線周波数アンテナ（質問機／読取器）または前記トランスポンダによって送信／受信されることができる、
請求項１に記載の着用可能な携帯型のトランスポンダ。
【請求項２２】
前記一意の識別子および／または一意の信号は、請求項１と同様に、一意の識別子及び／又は一意の信号は、前記トランスポンダ及び前記協働する無線周波数アンテナによって送信／受信するための優先順位を用いて、プログラムされることができる、
請求項１に記載の着用可能な携帯型のトランスポンダ。
【請求項２３】
前記協働する無線周波数アンテナ（質問機／読取器）、通信システム装置内に再充電可能なバッテリを有する、
請求項１に記載の着用可能な携帯型のトランスポンダ。
【発明の詳細な説明】
【技術分野】
【０００１】
無線周波数識別装置（ＲＦＩＤ）システムは、典型的には、３つの構成要素、すなわち、トランスポンダ（タグ）、協働する無線周波数アンテナ（１つまたは複数）（読取器または質問器）、および通信（ソフトウェア）システムを有する。トランスポンダ信号が協働する無線周波数アンテナの範囲内にある場合、トランスポンダ信号は、トランスポンダからの情報およびデータを読み取り／問い合わせ、データおよび情報を通信システムに保存／格納する。
【背景技術】
【０００２】
着用可能な携帯型装置は、フィットネストラッカ、医療装置モニタ、ヘルプパニックボタン、および犯罪追跡として広く利用可能である。ほとんどの装置は、通信システムまたは装置に無線で接続することができる。典型的には、モニタリング（ソフトウェア対応）システムは、医療警報装置、フィットネス及びアクティビティトラッカからの情報を見るために使用されるソフトウェアのように、トランスポンダ及び協働するアンテナ（読取器又は質問機）が、トランスポンダから受信され、後にアクセスされ、分析され、及び／又は閲覧されるデータ及び情報を交換し、格納することを可能にする。いくつかの装置は、緊急イベントのルートを決めたり緊急イベントを管理したりするように通信ディスパッチにシグナリング（合図）する。
【０００３】
電波無線アンテナ周波数技術は、航空機の追跡および検出、倉庫環境における在庫管理、および有料道路アンテナシステムを通過する車両からのトランザクションの処理に広く使用されている。無線周波数は、航空機で使用される。アンテナ無線タワーがトランスポンダ信号を受信すると、トランスポンダは航空機に関する符号化された情報を識別する。有料道路（例えば、イージーパスレーン）は、読取器／質問器無線アンテナの短距離内を通過するトランスポンダを装備した自動車上の符号化情報を識別するためにトランスポンダを使用し、料金を正当化し、支払いを請求し、収集するためのトランザクションを処理する。無線アンテナ受信機は、携帯電話、スマートウォッチ、ラップトップ／ＰＣ、タブレット、および自動車など、ＲＦＩＤシステムで使用されるとともに、個人使用のための装置で製造される重要な構成要素である。トランスポンダ信号は、車両のドアのロックおよびロック解除、またはアラームシステムの作動などのアクションを知らせるために、車両のキーフォブで使用される。
【発明の概要】
【０００４】
着用可能なトランスポンダ、警告、およびモニタリングシステム（ＷＥＡＲＡＢＬＥ  ＴＲＡＮＤＥ  ＴＲＡＮＤＥＲ（Ｓ）、ＡＬＥＲＴ  ＡＮＤ  ＭＯＮＩＴＯＲＩＮＧ  ＳＹＳＴＥＭ）の本特許協力条約（ＰＣＴ）の出願は、２０１６年８月８日に出願され、その全体が参照により本出願に取り込まれる仮米国特許出願第６２／４９４，４０２号のＵ．Ｓ．Ｃ．１１９（ｅ）に基づく出願日の利益を主張する。本ＰＣＴ出願は、仮特許に提出された発明の開示を保存し、優先日から利益を得、放棄を回避するために出願される。
【０００５】
このＰＣＴに開示された発明は、個人用の可能性のあるトランスポンダ、警告およびモニタリングシステム用の通信システム（ソフトウェアおよび／またはインタフェース）の個人用／公衆網であり、トランスポンダ（タグ）が協働する無線アンテナ無線受信装置（読者/質問者）の信号範囲および強度の範囲内にあるとき、それらは個人の安全のために着用者の利益のために読まれる/質問されることができる。システムのユーザは、手首、首、足首、背中、肩、腰および／または衣服または靴に着用する装置などの製造装置にトランスポンダを着用することができ、スマートフォン、スマートウォッチ、スマートタブレット、ＰＣ ／ラップトップ、および／または家庭などの移動体通信システムおよび装置における協働する無線アンテナ無線受信機の範囲内で、ソフトウェアおよびインタフェースが埋め込まれており、潜在的な脅威および/または緊急事態（環境、医療、および/または物理的）が発生した場合に対応するためにアクセスできる個人用の安全警告およびモニタリングシステムを作成する。
【０００６】
使用可能なトランスポンダが範囲内にあり、十分な信号強度を有する場合、その信号は、通信システム（ソフトウェアおよび／またはインタフェース）内の無線周波数アンテナ装置によって読取器／質問器となる。リアルタイムまたはインターバルで、トランスポンダ信号は、トランスポンダからのデータおよび情報について、読取器／質問器によってモニタリングおよび検出され、通信システム（ソフトウェアおよび／またはインタフェース）に捕捉され格納され得、着用者の居場所（例えば、日付、時間、タイムゾーン、気温、座標など）やその他の計算された情報（着用者の移動距離、距離間の移動時間、ある場所での滞在時間など）、（到着と出発）、地図座標である。緊急事態の目的のために、この情報は、緊急サービスによって着用者の位置を特定し、緊急サービスを派遣して応答を迅速化し調整するために使用されることができる。読取器／質問器を組み込んだ移動通信システムに格納されているデータおよび情報、即ち、連絡先、カレンダー通知、最後にダイヤルした電話番号、送受信したテキストメッセージ、薬、病歴、血液型、アレルギー、障害などの情報を使用して、より充実した分析を実行することができる。
【０００７】
通信システムは、テキストメッセージングおよび／または音声起動ダイヤルを使用し、通信システムおよび協働する無線周波数アンテナを使用して、着用者からの発信応答を起動することができる。通信システムは、応答する無線アンテナ無線受信装置の通信システムにおける一連の事前設定された自動アクション（テキストメッセージ送信／電子メール連絡など）をアクティブ化／非アクティブ化することができ、応答が受信されるまで自動的に繰り返す。これらの事前設定された自動アクションおよび応答しない着用者に対する応答は、通信システムが機能するのと同じくらい頻繁に継続して繰り返されることになる。着用者は、無線周波数アンテナの移動通信システム装置を使用して、着用者または応答者のネットワークにプロンプトを出す／警告するための自動アクションを設定することができる。例えば、「９１１」をダイヤルするなどして、最後の位置データと着用者の情報を送信するか、または一連の通信を自動的に実行する。
【０００８】
本ＰＣＴが優先権を主張している仮特許出願６２／４９４，４０２は、着用可能な装置に関する市場調査および着用可能な装置の潜在的ユーザとのインタビュー、ならびに発行された特許出願および特許のレビューの結果であった。審査され、本ＰＣＴ出願の基礎を形成した特許出願及び特許問題の予備的開示がある。これらのレビューは、着用可能な、特にこのＰＣＴ出願に開示された発明と同じ目的を有する着用可能なにおける新しい進歩の理解を提供した。このＰＣＴ出願の特許引用セクションに列挙された１０を超える特許引用のうち、同じ焦点を有する３つの、個人安全警告およびモニタリングがある。以下は、類似性および相違の予備的評価である。
【０００９】
アップルにより「ケアイベント」に関する米国特許出願は、２０１６年３月１０日の記事に基づいて出願された。アップルは、緊急時に援助を自動的に求める新しい「アイフォーン’Ｅｖｅｎｔ  Ｃａｒｅ’Ａｌｅｒｔ  Ｓｙｓｔｅｍ」を発明し、これはｈｔｔｐ：／／ｗｗｗ．ｐａｔｅｎｔｌｖａｐｐｌｃｅ．ｃｏｍで発表された。この記事では、「一般に「ケアイベント」に関連し、より具体的には、ケアイベントの検出、および検出されたケアイベントに関するｉＯＳ装置への警告の送信に関連する、Ａｐｐｌｅからの特許出願・・・」と述べている。アイフォーンなどの装置が、ユーザがトラブルを起こしており、ヘルプを要求するために装置を使用することが現在不可能であることを検出した場合、アイフォーンの「ケアイベント」特徴は、自動的に起動し、緊急サービスへの支援のために自分から電話をかける（ダイヤルアウトする）。アップルの「ケアイベント」装置は、アイフォーンやその他のアップル製の装置等のｉＯＳシステム上でアクションする。これは「ケアイベント」システムのバックボーンであり、ユーザのデータや環境センサと連携している。「アップルの発明は、警告を提供し、ケアイベントに関するシステム、方法、および装置を包含する。１つまたは複数の「ケアイベント」の発生は、環境データおよび／または１つまたは複数のセンサからのユーザデータをモニタリングする電子装置によって検出することができる。一方、このＰＣＴ出願は、１つまたは複数のセンサからの環境データおよび／またはユーザデータのモニタリングする電子装置によって検出された情報に依存しない。しかし、アップルの「ケアイベント」システムのように、このＰＣＴ出願に開示された発明は、「・自動車事故のユーザ、トレーニング中に心臓発作を有するユーザ、ケアセンターまたは家からあまりにも遠くに徘徊トしている認知症患者、雪崩とそれ以上の現象に捕まったスキーヤーを包含することができる。
【００１０】
このＰＣＴ出願に開示された発明は、トランスポンダ信号と、信号強度を検出し、トランスポンダと読取器との間の信号範囲を測定して潜在的なユーザの苦痛（環境的、医療的、または物理的、または偶発的によって引き起こされるかどうかにかかわらず）を示すことができる、協働する無線周波数装置読取器／質問器とを使用する。また、アップルの「ケアイベント」システムとは異なり、このＰＣＴ出願に開示された本発明は、いかなるイベントも検出しない。それは、苦痛、すなわち認識されたシステム警報に応答できないことに関連するシステム挙動を単に認識するだけである。ユーザは、誤った警報を避けるために、システムの警報パラメータについて十分に訓練されなければならない。このＰＣＴ出願と同じ焦点を有する第２の特許は、２０１４年からのアップルの特許出願である。ＴｅｃｈＣｒｕｎｃｈの記事（ｈｔｔｐｓ：／／ｔｅｃｈｃｒｕｎｃｈ．ｃｏｍ／２０１４／０３／０６／ａｐｐｌｅ−ｐａｔｅｎｔｓ−ｂｕｉｌｔ−ｉｎ−ａｕｔｏｍａｔｅｄ−ｅｍｅｒｑｅｎｃｖｄｅｔｅｃｔｉｏｎ−ａｎｄ−ａｓｓｉｓｔａｎｃｅ−ｆｏｒ−アイフォーン／）によると、「・車載センサからのデータ」を使用して、ユーザが、いつ、自動車の衝突、暴力的な個人の変更、ならびに突然の緊急事態を含む物理的な攻撃を受けたかを自動的に検出する。アイフォーンを使うと、接触検出を含むこれらのセンサからの情報を使用して、対話の途中で誰かが装置から突然離れているかどうか、またはユーザが異常な状況で長期間移動しないかどうかを判定する。このＰＣＴ出願に開示されているシステムは、アイフォーンなどの装置内の搭載センサに制限されないが、トランスポンダ信号と、トランスポンダと協働する無線周波数アンテナとの間の信号強度を検出し、信号範囲を測定する協働する無線周波数アンテナ通信システム装置とを使用して、突然の分離を示すことによって（おそらく、環境、医療、または物理、または偶然に起因するかどうかにかかわらず、応答しないユーザおよびユーザの潜在的なユーザ苦痛によって）、「誰かがその装置から突然分離されているかどうか」を検出する。Ａｐｐｌｅの「緊急検出」システムと同様に、このＰＣＴ出願に開示された発明は、事象の原因または種類を検出しない。それは、単に、ユーザが応答しない、すなわち、認識されたシステム警告に応答できないことを認識するだけである。ユーザは、誤った警報を避けるために、システムの警報パラメータについて十分に訓練されなければならない。
【００１１】
このＰＣＴ出願と同じ焦点を有する第３の且つ最終の特許は、指紋９１１に関するアップル特許出願である。Ｍｏｎｅｙ  ＣＮＮ（ｈｔｔｐ：／／ｍｏｎｅｖ．ｃｎｎ．ｃｏｍ／２０１７／０７／１８／ｔｅｃｈｎｏｌｏｇｙ／ａｐｐｌｅ−ｐａｔｅｎｔ−ｆｉｎｑｅｒｐｒｉｎｔ−９１  １／ｉｎｄｅｘ．ｈｔｍｌ）の記事によれば、アップルのアイフォーンは、ユーザがアイフォーンの顔の指紋タッチパッド部を押下することによって緊急サービスへの呼を隠すことを可能にし、  アイフォーンのロック解除を回避するか、またはユーザが緊急サービスに連絡していることを明らかにする。一方、このＰＣＴ出願に開示されたシステムは、ユーザが、２つの方法で、すなわち、システム警告プロンプトを無視することによって、および／または、製造された着用可能なものに隠されたトランスポンダボタンを押すことによって、接触する緊急事態を隠すことを可能にする。
【図面の簡単な説明】
【００１２】
ここで、プロセス図の一部を形成し、プロセス図によって示す添付の図面を参照する。
【００１３】
【図１】協働する無線アンテナ無線（読取器／質問器）装置及び着用可能なトランスポンダが、プログラムされた信号範囲内でシグナリング／アクションに成功し、一意の信号／一意の識別子をシグナリングし、ここにおいて、信号にプログラムされたデータ及び情報が送信及び受信され、通信システム（ソフトウェア及び／又はインタフェース）が、着用者の通信ネットワークが個人の安全事象の場合に支援及び応答する準備をするために、データ及び情報をリアルタイムで又は断続的に読み取り／書き込み／保存／格納している。
【図２】協働する無線アンテナ無線（読取器／質問器）装置及び着用可能なトランスポンダが、プログラムされた信号範囲内でシグナリング／アクションに成功し、一意の信号／一意の識別子をシグナリングし、ここにおいて、信号にプログラムされたデータ及び情報が送信及び受信され、通信システム（ソフトウェア及び／又はインタフェース）が、データ及び情報をリアルタイムで又は断続的に読み取り／書き込み／保存／格納し、着用者は、意識しながら医療緊急事態を有し、着用可能なトランスポンダ上の医療ボタンを押して、着用者の通信ネットワークに優先信号を送信して、通信で可能にされた発信システムシステム装置でアクション／アクティビティを送信するなど、個人安全イベントの場合に支援および応答する。
【図３】協働する無線アンテナ無線（読取器／質問器）装置及び着用可能なトランスポンダが、プログラムされた信号範囲内でシグナリング／アクションに成功し、一意の信号／一意の識別子をシグナリングし、ここにおいて、信号にプログラムされたデータ及び情報が送信及び受信され、通信システム（ソフトウェア及び／又はインタフェース）が、データ及び情報をリアルタイムで又は断続的に読み取り／書き込み／保存／格納し、着用者は、意識しながら医療緊急事態を有し、着用可能なトランスポンダ上の医療ボタンを押して、着用者の通信ネットワークに優先信号を送信して、通信で可能にされた発信システムシステム装置でアクション／アクティビティを送信するなど、個人安全イベントの場合に支援および応答する。
【図４】協働する無線アンテナ無線（読取器／質問器）装置と着用可能なトランスポンダが、プログラムされた信号範囲内の信号を検出できず、一意の信号／一意の識別子（複数可）を送り、信号でプログラムされたデータと情報が送受信を停止し、通信システム（ソフトウェアおよび／またはインタフェース）がデータと情報をリアルタイムまたは間欠的に読み取り／書き込み／保存／保存しない。通信システムは、システムの不成功なアクションに関して、通信システム装置内のプロンプト／メッセージで着用者にプロンプト／メッセージを出す。着用者が、プロンプト／メッセージに対して、プログラムされた制限時間内に、応答しない場合、通信は、通信システム装置において可能になった発信アクション／アクティビティを送信して、個人安全イベントの場合に支援し、応答するなど、着用者の通信ネットワークに対する一連のプログラムされたアクション／アクティビティを開始する。反応しない装用者は、以下のことを示すことができる。着用者は無意識であり、着用者の通信システム装置および／またはトランスポンダは、攻撃または事故の際に分離されていること、着用者は、モードでシグナリングを隠すことを望むので、自動的な発信アクション／アクティビティを繰り返すことをシステムに許可すること。
【発明を実施するための形態】
【００１４】
本発明を実施するためのベストモード
【００１５】
３５Ｕ．Ｓ．Ｃ．１１２（ａ）に従い、以下のテキストおよびビジュアルは、ベストモードの要件を示している。
【００１６】
2019531565.tif 000003
【００１７】
携帯型の着用可能なトランスポンダは、データや情報をリアルタイムまたは断続的に（プログラミングに基づいて）モニタリングするために人が着用し、一意の信号および／または固有の識別子を使用し、個人の安全上の問題が発生した場合の、着用者が援助や返答を要求する必要があるイベント中、彼／彼女の通信システム装置内の近くの協働する無線周波数アンテナと送受信する。着用者が、無応答、苦痛、攻撃、脅迫、危険、および/または緊急事態（環境、医療、精神的および/または身体的）に直面するイベントに備えて、着用者が安全ネットワークにアクセスするための準備として、データおよび情報は、一意の信号および／または一意の識別子にプログラム（符号化）すること、および／または通信システム装置によるアクセスのために保存／記憶することができる。
【００１８】
使い方：
トランスポンダの信号範囲がプログラムされたしきい値を超えているか、トランスポンダが信号強度の制限を超えている（プログラミングしきい値を下回っている）ことを協働する無線周波数アンテナが検出した場合、協働する無線周波数アンテナは、通信システム（ソフトウェア／インタフェース）装置を介してトランスポンダのデータ／情報（位置、ＧＰＳ座標、および時間、ならびに他の保存／保存された日付）を着用者に通信し、且つ、一連のコマンド／プロンプト／メッセージ（例えば、信号強度を高めるためにアンテナの信号範囲内で移動すること）で着用者に知らせる。プログラミング時間枠内で、着用者は、ボタンを押すことによってトランスポンダを起動、起動、および／または起動停止するなどの通信システム（ソフトウェア／インタフェース）装置を介してアクション／行動をとることができる。着用者からの認識された応答がない場合、通信システム装置は自動的にプログラムされた行動／アクティビティを開始する。反応しなかった場合は、反応しない着用者、又は、プロンプトをエスカレートさせることによって他人から緊急事態を知らせる彼又は彼女の意図を隠そうとする着用者の要求を示し、その場合、通信（ソフトウェア／インタフェース）装置は、プログラミングに基づいて - 着用者とは無関係にアクティビティ／アクションを自動的に開始／起動／停止する。
【００１９】
携帯型の着用可能なトランスポンダのボタンを押し、即時の開始／起動／アクティビティ／アクションのために優先順位の固有の信号／固有の識別子信号を促進するために協働する無線周波数アンテナの認証プロセスをバイパスし且つ現在の開始／起動／停止のアクティビティ／アクションを中断することによって、着用者は優先信号を発することができる。
【図１】
2019531565.tif 000004
【図２】
2019531565.tif 000005
【図３】
2019531565.tif 000006
【図４】
2019531565.tif 000007
【手続補正書】
【提出日】平成31年4月9日(2019.4.9)
【手続補正１】
【補正対象書類名】特許請求の範囲
【補正対象項目名】全文
【補正方法】変更
【補正の内容】
【特許請求の範囲】
【請求項１】
皮膚と接触し、かつ、一意のユーザ識別子を含む開始信号をモバイル通信装置から受信し、それとの接続を確立するように構成された無線周波数トランスポンダを含み、前記無線周波数トランスポンダは、前記皮膚の生体パラメータ値および生理パラメータ値を検出するように構成されていることを特徴とする、ハウジングユニットと、
前記検出された生体パラメータ値および生理パラメータ値を示すデータを記憶するように構成されたメモリと、
再充電可能バッテリと、
対応する閾値を満たさない前記検出された生体パラメータ値および生理パラメータ値のうちの１つに応答して、前記無線周波数トランスポンダに、一意の識別子を含む要求を前記モバイル通信装置に送信させ、個人緊急警告を発行させるように構成されたプロセッサと、
を備える着用可能な個人安全装置。
【請求項２】
前記無線周波数トランスポンダは、前記モバイル通信装置との接続を確立すると、前記検出された生体パラメータ値および生理パラメータ値を前記モバイル通信装置に周期的に送信することによって、前記接続を維持するようにさらに構成される、請求項１に記載の着用可能な個人安全装置。
【請求項３】
前記個人緊急警告を発行する前記要求は、前記対応する閾値を満たさないいくつかの検出された生体パラメータ値および生理パラメータ値に応答する、請求項１に記載の着用可能な個人安全装置。
【請求項４】
前記個人緊急警告の発行は、ユーザプロンプトに対するユーザ入力がないことに応答してさらに行われる、請求項１に記載の着用可能な個人安全装置。
【請求項５】
前記個人緊急警告の発行は、緊急度が増加する順番に配置された複数のプロンプトのうちの少なくとも１つに対するユーザ入力がないことに応答する、請求項４に記載の着用可能な個人安全装置。
【請求項６】
前記無線周波数トランスポンダから前記モバイル通信装置への前記要求は、前記着用可能な個人安全装置の前記送信および地理的位置の日付及び時間をさらに含む、請求項１に記載の着用可能な個人安全装置。
【請求項７】
前記無線周波数トランスポンダから前記モバイル通信装置への前記要求は、前記地理的位置までの移動距離、前記地理的位置までの移動時間、または前記地理的位置における滞在時間をさらに含む、請求項６に記載の着用可能な個人安全装置。
【請求項８】
無線周波数トランスポンダを含むハウジングユニットであって、前記無線周波数トランスポンダは、モバイル通信装置からの一意のユーザ識別子を含む開始信号の受信に応答して、前記ハウジングユニットに近接する皮膚の生体パラメータ値の検出を開始するように構成されていることを特徴とする、ハウジングユニットと、
前記検出された生体パラメータ値を示すデータを記憶するように構成されたメモリと、
再充電可能なバッテリと、
対応する閾値を満たさないいくつかの値に応答して、個人緊急警告を発行する要求を前記モバイル通信装置に送信するように構成されたプロセッサと、
を備える着用可能な装置。
【請求項９】
前記モバイル通信装置は、前記要求に応答して、複数のユーザプロンプトを生成し、前記ユーザプロンプトに対するユーザ入力を受信することに失敗した場合に、前記個人緊急警告を発行するように構成される、請求項８に記載の着用可能な装置。
【請求項１０】
前記ユーザプロンプトは、緊急度が増加する順序で配置される、請求項９に記載の着用可能な装置。
【請求項１１】
前記モバイル通信装置は、別の信号を受信すること、別の信号を送信すること、および前記発行に関連しない装置動作を実行することのうちの少なくとも１つよりも、前記個人緊急警告の発行に優先順位を付けるように構成される、請求項８に記載の着用可能な装置。
【請求項１２】
前記要求は、前記着用可能な装置の前記送信及び地理的位置の日付及び時間を含む請求項８に記載の着用可能な装置。
【請求項１３】
前記無線周波数トランスポンダから前記モバイル通信装置への前記要求は、前記地理的位置までの移動距離、前記地理的位置までの移動時間、または前記地理的位置における滞在時間をさらに含む、請求項１２に記載の着用可能な装置。
【請求項１４】
前記無線周波数トランスポンダからの前記モバイル通信装置への前記要求は、一意の識別子を含み、前記個人緊急警告の開始は、前記モバイル通信装置の以前に格納された識別子に対応する前記識別子に応答する、請求項８に記載の着用可能な装置。
【請求項１５】
無線周波数アンテナを含むモバイル通信装置と、
皮膚に近接するハウジングユニット、モバイル通信装置から間隔信号を受信するように前記モバイル通信装置との通信を確立して前記皮膚の生体パラメータ値を検出するように構成されたトランスポンダ、充電式バッテリ、前記モバイル通信装置が、前記生体パラメータ値を含む戻り間隔信号を受信できなかった場合に、前記モバイル通信装置が個人緊急警告を発行するように、各間隔信号に応答して、前記検出された生体パラメータ値を含む対応する戻り間隔信号を前記トランスポンダに前記モバイル通信装置に送信させるように構成されたプロセッサを含む着用可能な装置と、
を含む個人安全システム。
【請求項１６】
前記発行は、さらに、緊急度を増大させる順序に配置された複数の生成されたユーザプロンプトを介して要求されたユーザ入力がないことに応答する、請求項１５に記載の個人安全システム。
【請求項１７】
前記発行することは、別の信号の受信または送信よりも、前記個人緊急警告の信号の送信に優先順位を付けることを含む、請求項１５に記載の個人安全システム。
【請求項１８】
各戻り間隔信号は、前記着用可能な装置の地理的位置及び前記戻り間隔信号の送信の日付及び時間を含み、前記個人緊急警告は、最後に受信された戻り間隔信号に含まれる日付、時間、および位置を含む、請求項１５に記載の個人安全システム。
【請求項１９】
前記個人緊急警告は、前記地理的位置までの移動距離、前記地理的位置までの移動時間、または最後に受信された戻り間隔信号に含まれる前記地理的位置における滞在時間をさらに含む、請求項１８に記載の個人安全システム。
【請求項２０】
各戻り間隔信号は、一意の識別子を含み、前記個人緊急警告は、前記モバイル通信装置の以前に格納された識別子に対応する最後に受信された間隔信号の前記識別子に応答する、請求項１５に記載の個人安全システム。
【国際調査報告】
2019531565.tif 000008